(57)【要約】【課題】低消費電力を実現する受信装置（例えば、無線ＬＡＮ装置）を提供する。【解決手段】受信した無線周波信号をより低周波の信号に変換する無線周波信号処理部４と、上記無線周波信号の信号強度を検知するＲＳＳＩ回路３１（受信強度検知部）と、上記無線周波信号処理部４からの信号をさらに低周波の信号に変換する中間周波信号処理部５と、該中間周波信号処理部５からの信号を復調するデジタル復調部７（復調部）と、ＲＳＳＩ回路３１の検知結果に基づいて、アナログ部１０に属する中間周波信号処理部５の各回路（ＡＧＣ回路２２、ＩＦミキサ回路２３ａ・２３ｂ、ＬＰＦ回路２５ａ・２５ｂ、および増幅回路２６ａ・２６ｂ）の通電を制御する通電制御回路５２とを備える。【選択図】図１
2007049730.tif 000002
【特許請求の範囲】
【請求項１】
受信した無線周波信号をより低周波の信号に変換する第１信号処理部と、
この第１信号処理部からの信号の信号強度を検知し、該信号強度の増加量が閾値以上になれば受信開始信号を出力する信号検出部と、
上記第１信号処理部からの信号をさらに低周波の信号に変換する、あるいは、第１信号処理部からの信号に利得調整および増幅を行う、第２信号処理部と、
上記受信開始信号が出力されるまでは第２信号処理部への通電を停止させ、上記受信開始信号が出力されれば第２信号処理部への通電を開始させる作動状態制御部と、
を備えることを特徴とする受信装置。
【請求項２】
上記第２信号処理部に設けられる利得調整回路と、該利得調整回路を制御する利得制御部とを備え、
上記作動状態制御部は、受信開始信号が出力されるまでは上記利得制御部への通電を停止させ、受信開始信号が出力されれば該利得制御部への通電を開始させることを特徴とする請求項１記載の受信装置。
【請求項３】
上記第２信号処理部からの信号を復調するデジタル復調部を備え、
上記作動状態制御部は、受信開始信号が出力されるまでは上記デジタル復調部の動作を停止させ、上記受信開始信号が出力されれば上記デジタル復調部の動作を開始させることを特徴とする請求項１記載の受信装置。
【請求項４】
上記第２信号処理部からの信号を復調するデジタル復調部を備え、
上記作動状態制御部は、第２信号処理部からの信号の復調が完了すれば上記第２信号処理部への通電を停止させることを特徴とする請求項１記載の受信装置。
【請求項５】
上記第２信号処理部は、利得調整回路と発振器と該発振器からの信号および上記利得調整回路からの信号を混合するミキサ回路とを備え、
上記作動状態制御部は、受信開始信号の出力に関係なく上記発振器に常時通電しておくことを特徴とする請求項１記載の受信装置。
【請求項６】
上記第２信号処理部は、上記第１信号処理部からの信号を、中間周波ミキサ回路および該記中間周波ミキサ回路に発振信号を供給する中間周波発振器を用いてさらに低周波の信号に変換するとともに、
上記第１信号処理部のデータの受信間隔に基づいて上記中間周波発振器の作動状態を制御する受信状況監視部をさらに備えることを特徴とする請求項１記載の受信装置。
【請求項７】
受信した無線周波信号をより低周波の信号に変換する第１信号処理部と、
この第１信号処理部からの信号の信号強度を検知し、該信号強度の増加量が閾値以上になれば受信開始信号を出力する信号検出部と、
上記第１信号処理部からの信号をさらに低周波の信号に変換する、あるいは、第１信号処理部からの信号に利得調整および増幅を行う、第２信号処理部と、
上記第２信号処理部に設けられる利得調整回路と、
上記受信開始信号が出力されるまでは第２信号処理部への通電を停止させ、上記受信開始信号が出力されれば第２信号処理部への通電を開始させる作動状態制御部とを備え、上記作動状態制御部は、上記利得調整回路における利得調整が完了すると上記信号検出部の動作を停止させることを特徴とする受信装置。
【請求項８】
受信した無線周波信号をより低周波の信号に変換する第１信号処理部と、
この第１信号処理部からの信号の信号強度を検知し、該信号強度の増加量が閾値以上になれば受信開始信号を出力する信号検出部と、
上記第１信号処理部からの信号をさらに低周波の信号に変換する、あるいは、第１信号処理部からの信号に利得調整および増幅を行う、第２信号処理部と、
上記第２信号処理部に設けられる利得調整回路と、
上記第２信号処理部からの信号を復調するデジタル復調部と、
上記受信開始信号が出力されるまでは第２信号処理部への通電を停止させ、上記受信開始信号が出力されれば第２信号処理部への通電を開始させる作動状態制御部とを備え、上記作動状態制御部は、上記利得調整回路における利得調整が完了すると上記信号検出部の動作を停止させ、その後第２信号処理部からの信号の復調が完了すると上記信号検出部の動作を開始させることを特徴とする受信装置。
【請求項９】
請求項１〜８のいずれか１項に記載の受信装置を備えた通信装置。
【請求項１０】
請求項１〜８のいずれか１項に記載の受信装置を備えた無線ＬＡＮ装置。
【請求項１１】
受信した無線周波数信号をより低周波の信号に変換する第１信号処理部と、上記第１信号処理部からの信号の信号強度を検知する信号検出部と、上記第１信号処理部からの信号をさらに低周波の信号に変換する、あるいは、第１信号処理部からの信号に利得調整および増幅を行う、第２信号処理部と、を備えた受信装置の制御方法であって、
上記信号強度の増加量が閾値未満の状態では第２信号処理部への通電を停止しておき、上記信号強度の増加量が閾値以上になれば第２信号処理部への通電を開始することを特徴とする受信装置の制御方法。
【請求項１２】
請求項１１に記載の受信装置の制御方法をコンピュータに実行させることを特徴とする受信装置の制御プログラム。
【請求項１３】
請求項１２記載の受信装置の制御プログラムがコンピュータに読み取り可能に格納されていることを特徴とする記録媒体。
【発明の詳細な説明】
【技術分野】
【０００１】
本発明は、受信装置（例えば、ダブルヘテロダイン方式やダイレクトコンバージョン方式を用いた無線ＬＡＮ端末）の省電力化に関する。
【背景技術】
【０００２】
図６は、省電力化を目的とする無線ＬＡＮ装置の従来構成を示すブロック図である。同図に示されるように、従来の無線ＬＡＮ装置２０１の受信部２０２は、アナログ部である無線部２２５と、デジタル部である、受信レベル判定部２２６と、電源・クロック制御部２２７と、Ａ／Ｄ変換部２２８と、逆拡散復調部２２９と、振幅検出部２３０と、同期積算部２３１と、同期検出部２３２と、情報復調部２３３とを備える。
【０００３】
無線部２２５は、アナログ回路で構成され、アンテナ２２４が捕捉した電波に含まれるＲＦ（無線周波）信号から内部のアンプおよびフィルタを介して中間周波を取り出し、必要な受信レベルを抽出する。受信レベル判定部２２６は、中間周波信号を増幅、整流平滑後に内部のコンパレータにより所定のレベル値と比較して受信開始を判定する。電源・クロック制御部２２７は、各ブロックの電源およびクロックを制御する。Ａ／Ｄ変換部２２８は、無線部２２５の出力をＡ／Ｄ変換する。逆拡散復調部２２９は、拡散された信号を逆拡散により復調する。振幅検出部２３０は、逆拡散復調部２２９の出力の振幅値を求める。同期積算部２３１は、振幅検出部２３０の出力をシンボル単位で積算する。同期検出部２３２は、同期積算部２３１の出力から同期信号を求める。情報復調部２３３は、振幅検出部２３０の出力と、同期検出部２３２から出力される同期信号とに基づき情報復調を行う。
【０００４】
以下に、この無線ＬＡＮ装置２０１における受信部２０２の動作を説明する。
【０００５】
受信待機時には、無線部２２５（アナログ部）、受信レベル判定部２２６および電源・クロック制御部２２７のみが作動する。この受信待機時には、電源・クロック制御部２２７が、Ａ／Ｄ変換部２２８、逆拡散復調部２２９、振幅検出部２３０、同期積算部２３１、同期検出部２３２および情報復調部２３３への動作クロックの供給を停止しており、したがって、上記各部（Ａ／Ｄ変換部２２８、逆拡散復調部２２９、振幅検出部２３０、同期積算部２３１、同期検出部２３２および情報復調部２３３）は動作していない。
【０００６】
ここで、受信レベル判定部２２６は、無線部２２５からの中間周波信号を増幅し、内部のコンパレータによって、この中間周波信号と、端末装置から指定されたレベル値とを比較し、上記中間周波信号の方が大きければ受信開始とみなす。
【０００７】
この受信開始を受けて、電源・クロック制御部２２７は、Ａ／Ｄ変換部２２８、逆拡散復調部２２９、振幅検出部２３０、同期積算部２３１、同期検出部２３２および情報復調部２３３に動作クロックを供給し、これら各部を動作させる。
【０００８】
なお、受信終了後は、再び、アナログ部である無線部２２５および受信レベル判定部２２６と、電源・クロック制御部２２７のみが作動する。
【０００９】
上記構成によれば、受信待機時の時間が長い無線ＬＡＮ装置において消費電力を低減することができる。
【特許文献１】特開平８−３０７４２８号公報（公開日：平成８年１１月２２日）
【発明の開示】
【発明が解決しようとする課題】
【００１０】
しかしながら、上記従来の構成では、受信待機時に、デジタル部（Ａ／Ｄ変換部２２８、逆拡散復調部２２９、振幅検出部２３０、同期積算部２３１、同期検出部２３２および情報復調部２３３）を作動停止させているものの、アナログ部である無線部２２５を作動させている。この無線部２２５には、各種のアナログ回路が含まれており、これら回路を全て作動させておくとかなりの電力を消費する。特にモバイル端末に搭載する無線ＬＡＮ装置においては、この電力の浪費は無視できないものとなる。
【００１１】
本発明は、上記課題に鑑みてなされたものであり、その目的は、省電力化を実現する受信装置（例えば、無線ＬＡＮ装置）を提供する点にある。
【課題を解決するための手段】
【００１２】
本発明の受信装置は、上記課題を解決するために、受信した無線周波信号をより低周波の信号に変換する第１信号処理部と、上記無線周波信号の信号強度を検知する受信強度検知部と、
上記第１信号処理部からの信号に復調精度を高める処理を施す第２信号処理部と、該第２信号処理部からの信号を復調する復調部と、上記受信強度検知部の検知結果に基づいて、第２信号処理部の各回路の通電を制御する通電制御部とを備えることを特徴とする。
【００１３】
上記構成によれば、第１信号処理部で受信された無線周波信号は、該第１信号処理部にてより低周波の信号（例えば、ベースバンド信号）に変換される。一方、受信強度検知部は受信された無線周波信号の信号強度を検知する。
【００１４】
第１信号処理部から出力された信号には、第２信号処理部にて復調精度を高める処理（例えば、ＡＧＣ制御や増幅）がなされる。そして、第２信号処理部から出力された信号は、復調部にて送信された情報に復調される。
【００１５】
ここで、通電制御部は上記受信強度検知部の検知結果に基づいて、第２信号処理部の各回路の通電を制御する。例えば、受信強度検知部の検知結果が所定の条件をクリアするまで第２信号処理部に通電を止めておく。この結果、アナログ部全体へ常時通電し、これを作動させていた従来技術（図６参照）と異なり、受信すべき（復調可能な）信号が来るまでの間（受信待機時）の第２信号処理部での電力浪費を大幅に低減させることができる。これにより、受信装置の省電力化を実現することができる。
【００１６】
また、上記第２信号処理部は、第１信号処理部からの信号に利得調整を行う利得調整回路と、該利得調整回路からの信号を増幅する増幅回路とを備え、上記通電制御部は、上記検知結果が所定条件を満たさない状態では利得調整回路および増幅回路への通電を止めておき、上記検知結果が所定条件を満たせば利得調整回路および増幅回路への通電を開始することが好ましい。
【００１７】
上記構成によれば、第１信号処理部からの信号には、第２信号処理部の利得調整回路および増幅回路により、利得調整処理（例えば、オートゲインコントロール）および増幅処理がなされる。ここで、通電制御部は上記受信強度検知部の検知結果に基づいて、利得調整回路および増幅回路の通電を制御する。すなわち、受信強度検知部の検知結果が所定の条件をクリアするまで利得調整回路および増幅回路の通電を止めておく。この結果、受信すべき（復調可能な）信号が来るまでの間（受信待機時）の利得調整回路および増幅回路での電力浪費をなくすことができる。
【００１８】
また、本発明の受信装置では、上記通電制御部は受信強度検知部の通電を制御することができ、該通電制御部は、上記利得調整回路に通電され、利得調整が完了すると、上記受信強度検知部への通電を停止するように構成することが好ましい。
【００１９】
上記構成は、受信強度検知部の検知結果が所定の条件をクリアし、上記利得調整回路が作動して利得調整が完了すると受信強度検知部の通電を止める構成である。利得調整が完了すれば、復調部での信号復調が完了するまでの間受信強度検知部を作動させておく必要がないからである。このように、受信強度検知部を作動させておく必要がないときに該受信強度検知部への通電を止めることで、より大きな省電力効果を得ることができる。
【００２０】
また、本受信装置は、上記利得調整回路を制御する利得制御部と、該利得制御部および上記復調部の作動状態を制御するデジタル作動制御部とをさらに備える構成とすることもできる。
【００２１】
また、本受信装置においては、上記検知結果が所定条件を満たさない受信待機時に、上記通電制御部は第１信号処理部および受信強度検知部へ通電しておく一方第２信号処理部への通電を止めておき、かつ、上記デジタル作動制御部は上記復調部および利得制御部の作動を停止させておくことが好ましい。
【００２２】
上記構成によれば、受信待機時に動作させる必要がない第２信号処理部への通電を止め、かつ、復調部および利得制御部の作動も停止させておくことで、一層の省電力化が可能となる。
【００２３】
また、本受信装置においては、上記検知結果が所定条件を満たすと、上記通電制御部は、第２信号処理部への通電を開始するとともに第１信号処理部および受信強度検知部にも通電を継続し、かつ、上記デジタル作動制御部は上記復調部および利得制御部の作動を開始させる。これにより、第１信号処理部からの信号には、第２信号処理部にて利得調整や増幅処理が行われ、第２信号処理部からの信号は復調部にて送信された情報に復調される。
【００２４】
また、本受信装置においては、受信時省電力モードが選択可能であり、この受信時省電力モードでは、上記利得制御部による利得調整回路の制御が終了すると、上記通電制御部は受信強度検知部への通電を止める一方第２信号処理部には通電を継続し、かつ、上記デジタル作動制御部は上記復調部および利得制御部の作動を継続させることが好ましい。
【００２５】
上記構成によれば、上記検知結果が所定条件を満たすと上記利得制御部によって（第２信号処理部の）利得調整回路が制御される。これにより、第１信号処理部からの信号は、利得調整回路によって最適に利得調整され、（第２信号処理部の）増幅回路を経て復調部に送られる。このように、上記通電制御部が（利得調整回路の制御終了後の）受信中に動作させておく必要のない受信強度検知部への通電を止めておくことで一層の省電力化が可能となる。
【００２６】
本発明の受信装置は、上記課題を解決するために、受信した無線周波信号をより低周波の信号に変換する無線周波信号処理部と、上記無線周波信号の信号強度を検知する受信強度検知部と、上記無線周波信号処理部からの信号をさらに低周波の信号に変換する中間周波信号処理部と、該中間周波信号処理部からの信号を復調する復調部と、上記受信強度検知部の検知結果に基づいて、中間周波信号処理部の各回路の通電を制御する通電制御部とを備えることを特徴としている。
【００２７】
上記構成によれば、無線周波信号処理部で受信された無線周波信号は、該無線周波信号処理部にてより低周波の信号（例えば、中間周波数信号）に変換される。さらに、無線周波信号処理部からの信号は、中間周波信号処理部にてより低周波の信号（例えば、ベースバンド信号）に変換される。一方、受信強度検知部は受信された無線周波信号の信号強度を検知する。中間周波信号処理部から出力された信号は、復調部に入力され、送信された情報に復調される。
【００２８】
ここで、通電制御部は上記受信強度検知部の検知結果に基づいて、中間周波信号処理部の各回路の通電を制御する。例えば、受信強度検知部の検知結果が所定の条件をクリアするまで中間周波信号処理部に通電を止めておく。この結果、アナログ部全体へ常時通電し、これを作動させていた従来技術（図６参照）と異なり、受信すべき（復調可能な）信号が来るまでの間（受信待機時）の中間周波信号処理部での電力浪費を大幅に低減させることができる。これにより、受信装置の省電力化を実現することができる。
【００２９】
また、上記中間周波信号処理部は、発振器と、該発振器からの信号および上記無線周波信号処理部からの信号を混合するミキサ回路とをさらに備えており、上記通電制御部は、上記検知結果が所定条件を満たさない状態では上記ミキサ回路への通電を止めておき、上記検知結果が所定条件を満たせばミキサ回路への通電を開始することが好ましい。
【００３０】
上記構成によれば、無線周波信号処理部からの信号は、中間周波信号処理部のミキサ回路にて発振器からの信号と混合され、より低周波の信号（例えば、ベースバンド信号）に変換される。ここで、上記通電制御部は上記受信強度検知部の検知結果に基づいて、ミキサ回路への通電を制御する。すなわち、受信強度検知部の検知結果が所定の条件をクリアするまでミキサ回路への通電を止めておく。この結果、受信すべき（復調可能な）信号が来るまでの間（受信待機時）のミキサ回路での電力浪費をなくすことができる。
【００３１】
また、上記中間周波信号処理部は、無線周波信号処理部からの信号に利得調整を行って上記ミキサ回路に出力する利得調整回路と、上記ミキサ回路からの信号が入力されるローパスフィルタ回路と、該ローパスフィルタ回路からの信号を増幅する増幅回路とをさらに備え、上記通電制御部は、上記検知結果が所定条件を満たさない状態では上記利得調整回路並びにローパスフィルタ回路および増幅回路への通電を止めておき、上記検知結果が所定条件を満たせば上記利得調整回路並びにローパスフィルタ回路および増幅回路の通電を開始することが好ましい。
【００３２】
上記構成によれば、無線周波信号処理部からの信号は利得調整回路で利得調整され、上記発振器からの信号とミキサにて混合されることによってより低周波の信号（例えば、ベースバンド信号）に変換される。ミキサ回路から出力された信号は、ローパスフィルタ回路に入力された後（ここで、不要信号が除去される）、増幅回路にて増幅される。ここで、上記通電制御部は上記受信強度検知部の検知結果に基づいて、上記利得調整回路並びにローパスフィルタ回路および増幅回路への通電を制御する。すなわち、受信強度検知部の検知結果が所定の条件をクリアするまで上記利得調整回路並びにローパスフィルタ回路および増幅回路の通電を止めておく。この結果、受信すべき（復調可能な）信号が来るまでの間（受信待機時）の上記利得調整回路並びにローパスフィルタ回路および増幅回路での電力浪費をなくすことができる。
【００３３】
また、本発明の受信装置においては、上記検知結果に関わりなく上記発振器に通電しておくことが好ましい。当該構成では発振器の通電を制御する構成（例えば、上位層から制御する構成）が不要であり、装置構成を簡易化できる。
【００３４】
また、本発明の受信装置では、上記通電制御部は発振器の通電を制御することができ、上記通電制御部は、上記無線周波信号処理部への受信状況を監視する受信状況監視部の監視結果に基づいて上記発振器の通電を制御するように構成することもできる。
【００３５】
上記構成によれば、中間周波信号処理部の中でも電力消費の大きな発振器の通電を制御することで、より大きな省電力効果を得ることができる。
【００３６】
また、本発明の受信装置では、上記通電制御部は受信強度検知部の通電を制御することができ、該通電制御部は、上記利得調整回路に通電が行われて利得調整が完了すると、上記受信強度検知部への通電を停止するように構成することが好ましい。
【００３７】
上記構成は、受信強度検知部の検知結果が所定の条件をクリアし、上記利得調整回路が作動して利得調整が完了すると受信強度検知部の通電を止める構成である。利得調整が完了すれば、復調部での信号復調が完了するまでの間受信強度検知部を作動させておく必要がないからである。このように、受信強度検知部を作動させておく必要がないときに該受信強度検知部への通電を止めることで、より大きな省電力効果を得ることができる。
【００３８】
また、本受信装置は、上記通電制御部が発振器への通電も制御可能であり、上記利得調整回路を制御する利得制御部と、該利得制御部および上記復調部の作動状態を制御するデジタル作動制御部とをさらに備える構成とすることもできる。
【００３９】
また、本受信装置は、上記検知結果が所定条件を満たさない受信待機時には、上記通電制御部は、無線周波信号処理部および受信強度検知部へ通電しておくとともに中間周波信号処理部の各回路への通電を止めておき、かつ、上記デジタル作動制御部は上記復調部および利得制御部の作動を停止させておくことが好ましい。
【００４０】
上記構成によれば、受信待機時に動作させる必要がない中間周波信号処理部の各回路への通電を止め、かつ、復調部および利得制御部の作動も停止させておくことで、一層の省電力化が可能となる。
【００４１】
また、本受信装置は、受信待機時省電力モードが選択可能であり、上記通電制御部は、受信待機時省電力モードでは発振器への通電を止めておき、受信待機時省電力モードが終了すると発振器への通電を開始することが好ましい。上記構成によれば、受信待機時に動作させる必要がない発振器への通電を止めておくことで一層の省電力化が可能となる。
【００４２】
また、本受信装置は、上記検知結果が所定条件を満たすと、上記通電制御部は、中間周波信号処理部の各回路への通電を開始するとともに、発振器並びに無線周波信号処理部および受信強度検知部にも通電を継続し、上記デジタル作動制御部は上記復調部および利得制御部の作動を開始させる。これにより、無線信号処理部からの信号には、中間周波信号処理部にて利得調整、ダウンコンバート、不要信号の除去および増幅処理が行われる。この中間周波信号処理部からの信号は、復調部にて送信された情報に復調される。
【００４３】
また、本受信装置は、受信時省電力モードが選択可能であり、この受信時省電力モードでは、上記利得制御部による利得調整回路の制御が終了すると、上記通電制御部は受信強度検知部への通電を止める一方発振器および中間周波信号処理部の各回路には通電を継続し、かつ、上記デジタル作動制御部は上記復調部および利得制御部の作動を継続させることが好ましい。
【００４４】
上記構成によれば、上記検知結果が所定条件を満たすと上記利得制御部によって（中間周波信号処理部の）利得調整回路が制御される。これにより、無線信号処理部からの信号は、利得調整回路によって最適に利得調整された後に発振器からの信号と混合され（ダウンコンバートされ）、（中間周波信号処理部の）ローパスフィルタ回路および増幅回路を経て復調部に送られる。このように、上記通電制御部が（利得調整回路の制御終了後の）受信中に動作させておく必要のない受信強度検知部への通電を止めておくことで一層の省電力化が可能となる。
【００４５】
また、本発明の通信装置は、上記受信装置を備えていることを特徴としている。
【００４６】
また、本発明の無線ＬＡＮ装置は、上記受信装置を備えていることを特徴としている。
【００４７】
また、本発明の受信装置の通電制御方法は、上記課題を解決するために、受信した無線周波信号をより低周波の信号に変換する第１信号処理部と、上記無線周波信号の信号強度を検知する受信強度検知部と、第１の信号処理部からの信号に復調精度を高める処理を施す第２信号処理部とを備えた受信装置の通電制御方法であって、上記受信強度検知部の検知結果が所定条件を満たさない状態では第２信号処理部の各回路への通電を止めておき、上記検知結果が所定条件を満たす状態になれば、第２信号処理部の各回路への通電を開始することを特徴としている。
【００４８】
また、本発明の受信装置の通電制御方法は、上記課題を解決するために、受信した無線周波信号をより低周波の信号に変換する無線周波信号処理部と、上記無線周波信号の信号強度を検知する受信強度検知部と、上記無線周波信号処理部からの信号をさらに低周波の信号に変換する中間周波信号処理部とを備えた受信装置の制御方法であって、上記受信強度検知部の検知結果が所定条件を満たさない状態では中間周波信号処理部の各回路への通電を止めておき、上記検知結果が所定条件を満たす状態になれば、中間周波信号処理部の各回路への通電を開始することを特徴としている。
【００４９】
また、本発明の受信装置の通電制御プログラムは、上記受信装置の通電制御方法をコンピュータに実行させることを特徴としている。
【００５０】
また、本発明の記録媒体は、上記受信装置の通電制御プログラムがコンピュータに読み取り可能に格納されていることを特徴としている。
【発明の効果】
【００５１】
以上のように、本発明の受信装置によれば、通電制御部は上記受信強度検知部の検知結果に基づいて、第２信号処理部（中間周波信号処理部）の各回路の通電を制御する。この結果、アナログ部全体へ常時通電し、これを作動させていた上記従来技術と比較して、受信すべき信号が来るまでの間（受信待機時）の第２信号処理部（中間周波信号処理部）での電力浪費を大幅に低減させることができる。これにより、受信装置の省電力化を実現することができる。
【発明を実施するための最良の形態】
【００５２】
〔実施の形態１〕
本発明の無線ＬＡＮ端末（受信装置・通信装置、無線ＬＡＮ装置）の実施の一形態を図１および図２に基づいて説明すれば以下のとおりである。
【００５３】
同図に示されるように、本実施の形態に係る無線ＬＡＮ端末１の受信部２は、無線周波信号処理部４と、信号検出部６と、中間周波信号処理部５と、デジタル復調部７（復調部）と、利得制御部８と、作動状態制御部９とを備えるダブルヘテロダイン構成である。
【００５４】
ここで、無線周波信号処理部４と、中間周波信号処理部５と、信号検出部６の一部（ＲＳＳＩ回路３１）とでアナログ部１０を構成しており、信号検出部６の一部（ＡＤＣ３２・受信開始判定部３３）と、デジタル復調部７と、利得制御部８と、作動状態制御部９とでデジタル部２０を構成している。
【００５５】
無線周波信号処理部４は、アンテナ１１と、ローノイズアンプ（ＬＮＡ）１２と、無線周波用発振器（ＲＦＯＳＣ）１３と、無線周波用ミキサ（ＲＦミキサ）１４と、バンドパスフィルタ（ＢＰＦ）１５とを備える。アンテナ１１は、無線ＬＡＮ端末１が（無線）接続されているＬＡＮ（ロカールエリアネットワーク）３からの無線周波信号を受信する。ローノイズアンプ１２はアンテナ１１で受信した無線信号１１を低ＮＦ（雑音指数）にて増幅する。無線周波用発振器１３は、無線周波信号をより低周波数の信号（中間周波信号）にダウンコンバートするための信号を発振する。無線周波用ミキサ１４は、ローノイズアンプ１２から出力された無線周波数信号と、無線周波用発振器１３からの発振信号とを混合し、無線周波信号より低周波数の中間周波信号を出力する。バンドパスフィルタ１５は、無線周波用ミキサ１４から出力された中間周波信号から不要な信号を取り除き、目的の周波数信号を取り出す。
【００５６】
中間周波信号処理部５は、中間周波用発振器（ＩＦＯＳＣ）２１（発振器）と、ＡＧＣ回路（オートゲインコントロール回路）２２（利得調整回路）と、２個の中間周波用ミキサ回路（ＩＦミキサ回路）２３ａ・２３ｂ（ミキサ）と、２個のローパスフィルタ回路（ＬＰＦ回路）２５ａ・２５ｂと、２個の増幅回路（ＡＭＰ回路）２６ａ・２６ｂとを備える。中間周波用発振器２１は、中間周波信号をより低周波数の信号（ベースバンド信号）にダウンコンバートするための信号を発振する。中間周波用ミキサ回路２３ａは、ＡＧＣ回路２２から出力された中間周波信号と、中間周波用発振器２１の発振信号とを混合し、ベースバンド信号（同相成分）を出力する。中間周波用ミキサ回路２３ｂは、ＡＧＣ回路２２から出力された中間周波信号と、中間周波用発振器２１の発振信号をπ／２シフトさせた信号とを混合し、ベースバンド信号（直交成分）を出力する。ローパスフィルタ回路２５ａは中間周波用ミキサ回路２３ａから出力されたベースバンド信号（同相成分）から不要な信号を取り除き、目的の周波数信号を取り出す。同様に、ローパスフィルタ回路２５ｂは、中間周波用ミキサ回路２３ｂから出力されたベースバンド信号（直交成分）から不要な信号を取り除く。増幅回路２６ａは、ローパスフィルタ回路２５ａから出力され、不要な信号が除去されたベースバンド信号（同相成分）を増幅する。増幅回路２６ｂは、ローパスフィルタ回路２５ｂから出力され、不要な信号が除去されたベースバンド信号（直交成分）を増幅する。
【００５７】
信号検出部６は、アナログ部１０に属するＲＳＳＩ回路（受信信号強度指標回路）３１（受信強度検知部）と、デジタル部２０に属する、Ａ／Ｄ変換器（ＡＤＣ）３２および受信開始判定部３３とを備える。ＲＳＳＩ回路３１は、バンドパスフィルタ１５から出力された中間周波信号からＲＳＳＩ信号を算出し、Ａ／Ｄ変換器３２へ出力する。Ａ／Ｄ変換器３２は、ＲＳＳＩ回路３１で検知されたＲＳＳＩ信号をデジタル化し、受信開始判定部３３へ出力する。
【００５８】
受信開始判定部３３では、以下のように受信開始の適否が判定される。図５は受信開始判定部３３の構成を示すブロック図である。同図に示されるように、受信開始判定部３３は、遅延回路８１と、減算回路８２と、比較回路８３とを備える。当該構成においては、まず、遅延回路８１が、ディジタル化されたＲＳＳＩ信号のうち、時間的に先行するＲＳＳＩ信号のサンプル値を遅延させ、これをＲＳＳＩ値の増加量を求めるための基準値とする。ついで、減算回路８２が後続して入力されたＲＳＳＩ信号のサンプル値から遅延回路８１の上記基準値を減算してＲＳＳＩ値の増加量（受信強度検知部の検知結果）を求める。ついで、比較回路８３が上記ＲＳＳＩ値の増加量と設定された増加量閾値とを比較し、上記ＲＳＳＩ値の増加量が増加量閾値を超えた（所定条件）場合に、信号を検出したと判断し、受信開始信号を作動状態制御部９に送信する。さらに、受信開始判定部３３は、このときのＲＳＳＩ値を受信レベルとして利得制御部８のＡＧＣ制御回路５０に出力する。このように、サンプル値の増加量が閾値を超えたことにより受信開始を判断することで、受信すべき信号と干渉信号とが混合して受信された場合でも、受信すべき信号を見落とすことがなくなり、受信開始を正確に判定することができる。これにより、本無線ＬＡＮ端末１の省電力効果を一層高めることができる。
【００５９】
なお、上記基準値の作成回路は遅延回路８１に限定されず、あるタイミングでＲＳＳＩ信号のサンプル値を保持するようなサンプルホールド回路であっても構わない。また、受信開始判定部３３は、Ａ／Ｄ変換器３２から出力された受信レベルが閾値（所定のレベル）以上であるか否かを判定し、閾値以上であれば受信開始信号を作動状態制御部９に出力するような簡易な構成であっても構わない。
【００６０】
デジタル復調部７は、２個のＡ／Ｄ変換器（ＡＤＣ）４１ａ・４１ｂと、ベースバンド復調回路（ＢＢ復調回路）４２とを備える。Ａ／Ｄ変換器４１ａは、増幅回路２６ａからのベースバンド信号をＡＤ変換する。同様に、Ａ／Ｄ変換器４１ｂは、増幅回路２６ｂからのベースバンド信号をＡＤ変換する。ベースバンド復調回路４２は、Ａ／Ｄ変換器４１ａおよび４１ｂから出力されたデジタル信号から元のデータ（送信情報）を復調し、この復調データを上位層に出力する。また、ベースバンド復調回路４２は、信号（パケットデータ）の復調が完了すると、パケット終了信号を作動状態制御部９に送信する。
【００６１】
利得制御部８は、ＡＧＣ制御回路５０と、Ｄ／Ａ変換器（ＤＡＣ）６０とを備える。ＡＧＣ制御回路５０は、受信開始判定部３３から出力された受信レベルに基づいて、ＡＧＣ回路２２を制御する。また、ＡＧＣ制御回路５０は、ＡＧＣ回路２２の制御が完了すると、ＡＧＣ制御完了信号を作動状態制御部９に送信する。
【００６２】
作動状態制御部９は、動作クロック制御回路５１（デジタル作動制御部）と通電制御回路５２（通電制御部）とを備える。動作クロック制御回路５１は、受信開始判定部３３からの受信開始信号を受けて、デジタル復調部７および利得制御部８へ動作クロックを供給し、これら各部を作動させる。通電制御回路５２は、受信開始判定部３３の受信開始信号を受けて、中間周波信号処理部５の各回路（ＡＧＣ回路２２、ＩＦミキサ回路２３ａ・２３ｂ、ＬＰＦ回路２５ａ・２５ｂ、および増幅回路２６ａ・２６ｂ）に通電し、これらの回路を作動させる。
【００６３】
また、通電制御回路５２は、上位層（物理層より上位の層）に設けられ、無線周波信号処理部４のデータ受信状態（受信間隔）を監視する受信状況監視部６６からのＯＳＣ制御信号に従って、中間周波用発振器（ＩＦＯＳＣ）２１の通電（作動開始および停止）を制御する。
【００６４】
また、作動状態制御部９は、ＡＧＣ制御回路５０からのＡＧＣ制御完了信号を受けて、信号検出部６（ＲＳＳＩ回路３１、ＡＤＣ３２および受信開始判定部３３）の作動を制御する。すなわち、通電制御回路５２は、ＡＧＣ制御完了信号を受けて、ＲＳＳＩ回路３１の通電を停止し、その作動を停止させる。また、動作クロック制御回路５１は、ＡＧＣ制御完了信号を受けて、ＡＤＣ３２および受信開始判定部３３への動作クロックの供給を停止し、これら各部の作動を停止させる。
【００６５】
さらに、作動状態制御部９は、ベースバンド復調回路４２からのパケット終了信号を受けて、中間周波信号処理部５の各回路、信号検出部６、デジタル復調部７および利得制御部８の動作を制御する。すなわち、動作クロック制御回路５１は、パケット終了信号を受けて、デジタル復調部７および利得制御部８への動作クロックの供給を停止し、これら各部の作動を停止させるとともに、ＡＤＣ３２および受信開始判定部３３の動作クロックの供給を開始し、これらの作動を開始させる。また、通電制御回路５２は、パケット終了信号を受けて、中間周波信号処理部５の各回路（ＡＧＣ回路２２、ＩＦミキサ回路２３ａ・２３ｂ、ＬＰＦ回路２５ａ・２５ｂ、および増幅回路２６ａ・２６ｂ）への通電を停止し、これらの回路の作動を停止させるとともに、ＲＳＳＩ回路３１への通電を開始し、これを作動させる。
【００６６】
以下に、本無線ＬＡＮ端末１における受信部２各部の作動状態の制御工程を図２のフローチャートを参照しつつ説明する。
【００６７】
まず、本無線ＬＡＮ端末１においては、データの受信を行っていない受信待機時に、無線周波信号処理部４、信号検出部６および作動状態制御部９（動作クロック制御回路５１および通電制御回路５２）のみが動作し、中間周波信号処理部５の各回路（アナログ部１０）並びに、利得制御部８およびデジタル復調部７（デジタル部２０）は動作していない。なお、アナログ部１０の中間周波用発振器２１は選択するモードによる（後述）。
【００６８】
すなわち、受信待機時には、通電制御回路５２が中間周波信号処理部５の各回路（ＡＧＣ回路２２、ＩＦミキサ回路２３ａ・２３ｂ、ＬＰＦ回路２５ａ・２５ｂ、および増幅回路２６ａ・２６ｂ）への通電を停止しており、また、動作クロック制御回路５１がデジタル復調部７および利得制御部８への動作クロックの供給を停止している。このように、受信待機時に中間周波信号処理部５の各回路への通電を止めることで省電力化が可能となる。特に無線ＬＡＮ端末においては受信待機状態が長いため、この省電力化の効果は大である。
【００６９】
なお、受信待機中にも無線周波信号処理部４および信号検出部６は動作しているため、無線ＬＡＮ端末１は自装置への送信データ（パケット）を常時認識できる状態にある。
【００７０】
本無線ＬＡＮ端末１では、この受信待機時に、ＩＦＯＳＣ（中間周波用発振器）省電力モード（受信待機時省電力モード）を選択することができる（Ｓ１参照）。このＩＦＯＳＣ省電力モードは、（中間周波信号処理部５内の）中間周波用発振器２１を動作させないモードである。ここでは、通電制御回路５２が、受信状況監視部６６（上位層）からのＯＳＣ制御信号に基づいて、中間周波用発振器２１への通電を停止させ、該中間周波用発振器２１の動作を停止させている。
【００７１】
以上から、受信待機時にＩＦＯＳＣ省電力モードを選択した場合、中間周波用発振器２１を含む中間周波信号処理部５全体、デジタル復調部７および利得制御部８がＯＦＦ（非作動）状態となり、無線周波信号処理部４および信号検出部６のみがＯＮ状態となる（Ｓ２参照）。このように、受信待機時に、電力消費の大きなＩＦＯＳＣ（中間周波用発振器）２１への通電を適宜停止することで、一層の省電力化が可能となる。
【００７２】
受信待機時に、ＩＦＯＳＣ省電力モードを選択しなかった場合あるいはこれを終了（Ｓ３）した場合、中間周波用発振器２１以外の中間周波信号処理部５の各回路（ＡＧＣ回路２２、ＩＦミキサ回路２３ａ・２３ｂ、ＬＰＦ回路２５ａ・２５ｂ、および増幅回路２６ａ・２６ｂ）、デジタル復調部７および利得制御部８がＯＦＦ（非作動）状態となり、中間周波用発振器２１並びに無線周波信号処理部４および信号検出部６がＯＮ（作動）状態となる（Ｓ４参照）。
【００７３】
ここで、無線周波信号処理部４を経て信号検出部６にて信号が検出される（Ｓ５）と、無線ＬＡＮ端末１は、受信待機状態から受信状態に移行し、受信を開始する（Ｓ６）。このときの信号処理の流れ（Ｓ４〜Ｓ６）をより詳細に説明すると以下のとおりである。
【００７４】
アンテナ１１で受信された信号（無線周波信号）は、ローノイズアンプ１２によって低ＮＦにて増幅される。ローノイズアンプ（ＬＮＡ）１２から出力された信号は、無線周波用ミキサ（ＲＦミキサ）１４にて、無線周波用発振器（ＲＦＯＳＣ）１３からの発振信号と混合される。これによって、ローノイズアンプ１２からの信号が中間周波信号にダウンコンバートされる。無線周波用ミキサ１４から出力された信号はバンドパスフィルタ１５に入力される。バンドパスフィルタ１５では無線周波用ミキサ１４からの信号に含まれる不要信号が除去される。
【００７５】
バンドパスフィルタ１５から出力された信号は受信強度検知部（ＲＳＳＩ）３１に入力される。ＲＳＳＩ回路３１は入力された信号のＲＳＳＩ値（受信レベル）を検知する。Ａ／Ｄ変換器３２は、ＲＳＳＩ回路３１で検知されたＲＳＳＩ値をデジタル化し、受信開始判定部３３に出力する。ここで、ＲＳＳＩ値の増加量（先行ＲＳＳＩ値との差）が増加量閾値を超えた場合に、受信開始判定部３３は信号を検出したと判断し、（Ｓ５でｙｅｓ）、受信開始信号を作動状態制御部９に出力する。これにより受信が開始される（Ｓ６）。
【００７６】
受信開始判定部３３からの受信開始信号を受けて、作動状態制御部９の通電制御回路５２は中間周波信号処理部５の各回路へ通電を開始し、動作クロック制御回路５１はデジタル復調部７および利得制御部８への動作クロックの供給を開始する。
【００７７】
これにより、それまでＯＦＦ（非動作）状態だった中間周波信号処理部５の各回路（ＡＧＣ回路２２、ＩＦミキサ回路２３ａ・２３ｂ、ＬＰＦ回路２５ａ・２５ｂ、増幅回路２６ａ・２６ｂ）、デジタル復調部７および利得制御部８がＯＮ（作動）状態となる（Ｓ７参照）。なお、それまでＯＮ（作動）状態だった、無線周波信号処理部４、中間周波用発振器２１および信号検出部６は引き続きＯＮ（作動）状態のままである（Ｓ７参照）。
【００７８】
利得制御部８が通電（ＯＮ）状態になると、受信開始判定部３３は、（ＡＤＣ３２から入力された）受信レベルをＡＧＣ制御回路５０に出力する。ＡＧＣ制御回路５０はこの受信レベルに基づいて、ＤＡＣ６０を介してＡＧＣ回路２２を制御する。ＡＧＣ回路２２の制御が完了すると（Ｓ８）、ＡＧＣ制御回路５０は、ＡＧＣ制御完了信号を作動状態制御部９に送信する。
【００７９】
これにより、受信時省電力モードに移行する（Ｓ９）。すなわち、ＡＧＣ制御完了信号を受けて、動作クロック制御回路５１はＡＤＣ３２および受信開始判定部３３の動作クロックの供給を停止する。また、通電制御回路５２は、ＲＳＳＩ回路３１の通電を停止する。これにより、信号検出部６の動作が停止し、無線周波信号処理部４、中間周波信号処理部５、デジタル復調部７および利得制御部８は動作を継続する。このように、信号受信中に（受信開始から受信終了までの間）、信号検出部６の動作を停止させておく（特に、ＲＳＳＩ回路３１の通電を止めておく）ことで、一層の省電力化が可能となる。
【００８０】
なお、この受信時省電力モードをデフォルトとすることが好ましいが、当該モードを選択しないことも可能である（Ｓ９）。この場合には、信号検出部６、無線周波信号処理部４、中間周波信号処理部５、デジタル復調部７および利得制御部８すべてがＯＮ状態となり、Ｓ７と同じ作動状態を継続する（Ｓ１１）。
【００８１】
Ｓ１０あるいはＳ１１についで、パケットデータの復調が行われる（Ｓ１２）。このＳ１２における信号処理手順を説明すれば以下のとおりである。
【００８２】
Ｓ８でＡＧＣ制御回路５０によるＡＧＣ回路２２の制御が完了すると、バンドパスフィルタ１５から出力された信号はＡＧＣ回路２２で適切に利得（ゲイン）調整され、中間周波用ミキサ回路２３ａと中間周波用ミキサ回路２３ｂとに分波出力される。
【００８３】
ＡＧＣ回路２２から出力された一方の信号は、中間周波用ミキサ回路２３ａにて、中間周波用発振器２１からの発振信号と混合される。これにより、中間周波用ミキサ回路２３ａからベースバンド信号（同相成分）がＬＰＦ回路２５ａへ出力される。ＬＰＦ回路２５ａでは不要な信号が除去される。ＬＰＦ回路２５ａからの信号は増幅回路２６ａに入力され、増幅される。増幅回路２６ａからの信号はデジタル復調部７のＡＤＣ４１ａに入力される。
【００８４】
また、ＡＧＣ回路２２から出力された他方の信号は、中間周波用ミキサ回路２３ｂにて、中間周波用発振器２１からの発振信号をπ／２シフトさせた信号と混合される。これにより、中間周波用ミキサ回路２３ｂからのベースバンド信号（直交成分）がＬＰＦ回路２５ｂへ出力される。ＬＰＦ回路２５ｂでは不要な信号が除去される。ＬＰＦ回路２５ｂからの信号は増幅回路２６ｂに入力され、増幅される。増幅回路２６ｂからの信号はデジタル復調部７のＡＤＣ４１ｂに入力される。
【００８５】
デジタル復調部７のベースバンド復調回路（ＢＢ復調回路）４２では、Ａ／Ｄ変換器４１ａおよびＡ／Ｄ変換器４１ｂからの信号に基づいて、無線ＬＡＮ端末１に送信された信号（パケットデータ）が復調される。この復調されたデータ（復調データ）は上位層へ送信される。信号の復調が完了すると（Ｓ１３）、ベースバンド復調回路４２は、パケット復調終了信号を作動状態制御部９に送信する。これにより無線ＬＡＮ端末１は再び受信待機状態に移行する（Ｓ１４）。
【００８６】
すなわち、ベースバンド復調回路４２からのパケット復調終了信号を受けて、作動状態制御部９の通電制御回路５２は、中間周波信号処理部５の各回路（ＡＧＣ回路２２、ＩＦミキサ回路２３ａ・２３ｂ、ＬＰＦ回路２５ａ・２５ｂ、および増幅回路２６ａ・２６ｂ）の通電を停止するとともに、信号検出部６のＲＳＳＩ回路３１への通電を開始する。また、動作クロック制御回路５１はデジタル復調部７および利得制御部８への動作クロックの供給を停止するとともに、信号検出部６のＡＤＣ３２および受信開始判定部３３の通電を開始する。
【００８７】
〔実施の形態２〕
本発明の無線ＬＡＮ端末（受信装置・無線ＬＡＮ装置）の実施の他の形態を図３および図４に基づいて説明すれば以下のとおりである。
【００８８】
同図に示されるように、本実施の形態に係る無線ＬＡＮ端末１０１の受信部１０２は、無線周波信号処理部１０４（第１信号処理部）と、信号検出部１０６と、利得調整部１０５（第２信号処理部）と、デジタル復調部１０７（復調部）と、利得制御部１０８と、作動状態制御部１０９とを備えるダイレクトコンバージョン構成である。
【００８９】
ここで、無線周波信号処理部１０４と、利得調整部１０５と、信号検出部１０６の一部（ＲＳＳＩ回路１３１）とでアナログ部１１０を構成しており、信号検出部１０６の一部（ＡＤＣ１３２・受信開始判定部１３３）と、デジタル復調部１０７と、利得制御部１０８と、作動状態制御部１０９とでデジタル部１２０を構成している。
【００９０】
無線周波信号処理部１０４は、アンテナ１１１と、ローノイズアンプ（ＬＮＡ）１１２と、無線周波用発振器（ＲＦＯＳＣ）１１３と、２個の無線周波用ミキサ（ＲＦミキサ）１１４ａ・１１４ｂと、２個のローパスフィルタ（ＬＰＦ）１１５ａ・１１５ｂとを備える。アンテナ１１１は、無線ＬＡＮ端末１０１が（無線）接続されているＬＡＮ（ロカールエリアネットワーク）１０３からの無線周波信号（ＲＦ信号）を受信する。ローノイズアンプ１１２はアンテナ１１１で受信した無線信号１１１を低ＮＦ（雑音指数）にて増幅し、無線周波用ミキサ（ＲＦミキサ）１１４ａ・１１４ｂに分波出力する。無線周波用発振器１１３は、無線周波信号をベースバンド信号にダウンコンバートするための信号を発振する。無線周波用ミキサ１１４ａは、ローノイズアンプ１１２から出力された一方の信号と、無線周波用発振器１１３からの発振信号とを混合し、ベースバンド信号（同相成分）を出力する。無線周波用ミキサ１１４ｂは、ローノイズアンプ１１２から出力された他方の信号と、無線周波用発振器１１３からの発振信号をπ／２シフトさせた信号とを混合し、ベースバンド信号（直交成分）を出力する。ローパスフィルタ１１５ａは、無線周波用ミキサ１１４ａから出力されたベースバンド信号（同相成分）から不要な信号を取り除き、目的の周波数信号を取り出す。ローパスフィルタ１１５ｂは、無線周波用ミキサ１１４ｂから出力されたベースバンド信号（直交成分）から不要な信号を取り除き、目的の周波数信号を取り出す。
【００９１】
利得調整部１０５は、ＡＧＣ回路（オートゲインコントロール回路）１２２（利得調整回路）と、２個の増幅回路（ＡＭＰ回路）１２６ａ・１２６ｂとを備える。増幅回路１２６ａは、ローパスフィルタ回路１１５ａから出力され、不要な信号が除去されたベースバンド信号（同相成分）を増幅する。増幅回路１２６ｂは、ローパスフィルタ回路１１５ｂから出力され、不要な信号が除去されたベースバンド信号（直交成分）を増幅する。
【００９２】
信号検出部１０６は、アナログ部１１０に属するＲＳＳＩ回路１３１（受信信号強度指標回路、受信強度検知部）と、デジタル部１２０に属する、Ａ／Ｄ変換器（ＡＤＣ）１３２および受信開始判定部１３３とを備える。ＲＳＳＩ回路１３１は、バンドパスフィルタ１１５から出力された中間周波信号からＲＳＳＩ信号を算出し、Ａ／Ｄ変換器１３２へ出力する。Ａ／Ｄ変換器１３２は、ＲＳＳＩ回路１３１で検知されたＲＳＳＩ信号をデジタル化し、受信開始判定部１３３へ出力する。受信開始判定部１３３の構成および受信開始の適否の判定は実施の形態１と同様である（図５参照）。すなわち、ＲＳＳＩ回路１３１からのＲＳＳＩ値の増加量（受信強度検知部の検知結果）が増加量閾値を超えた（所定条件を満たす）場合に、信号を検出したと判断し、受信開始信号を作動状態制御部１０９に送信する。さらに、受信開始判定部１３３は、このときのＲＳＳＩ値を受信レベルとして利得制御部１０８に出力する。このように、サンプル値の増加量が閾値を超えたことにより受信開始を判断することにより、受信すべき信号と干渉信号とが混合して受信された場合でも、受信すべき信号を見落とすことはなくなり、受信開始を正確に判定することができる。
【００９３】
なお、上記基準値の作成回路は遅延回路に限定されず、あるタイミングでＲＳＳＩ信号のサンプル値を保持するようなサンプルホールド回路であっても構わない。また、受信開始判定部１３３は、Ａ／Ｄ変換器１３２から出力された受信レベル（受信強度検知部の検知結果）が閾値（所定条件）以上であるか否かを判定し、閾値以上であれば受信開始信号を作動状態制御部１０９に出力するような簡易な構成であっても構わない。
【００９４】
デジタル復調部１０７は、２個のＡ／Ｄ変換器（ＡＤＣ）１４１ａ・１４１ｂと、ベースバンド復調回路（ＢＢ復調回路）１４２とを備える。Ａ／Ｄ変換器１４１ａは、増幅回路１２６ａからのベースバンド信号をＡＤ変換する。同様に、Ａ／Ｄ変換器１４１ｂは、増幅回路１２６ｂからのベースバンド信号をＡＤ変換する。ベースバンド復調回路１４２は、Ａ／Ｄ変換器１４１ａおよび１４１ｂから出力されたデジタル信号から元のデータ（送信情報）を復調し、この復調データを上位層に出力する。また、ベースバンド復調回路１４２は、信号（パケットデータ）の復調が完了すると、パケット終了信号を作動状態制御部１０９に送信する。
【００９５】
利得制御部１０８は、ＡＧＣ制御回路１５０と、Ｄ／Ａ変換器（ＤＡＣ）１６０とを備える。ＡＧＣ制御回路１５０は、受信開始判定部１３３から出力された受信レベルに基づいて、ＡＧＣ回路１２２を制御する。また、ＡＧＣ制御回路１５０は、ＡＧＣ回路１２２の制御が完了すると、ＡＧＣ制御完了信号を作動状態制御部１０９に送信する。
【００９６】
作動状態制御部１０９は、動作クロック制御回路１５１（デジタル作動制御部）と通電制御回路１５２（通電制御部）とを備える。動作クロック制御回路１５１は、受信開始判定部１３３からの受信開始信号を受けて、デジタル復調部１０７および利得制御部１０８へ動作クロックを供給し、これら各部を作動させる。通電制御回路１５２は、受信開始判定部１３３の受信開始信号を受けて、利得調整部１０５に通電し、これを作動させる。
【００９７】
また、作動状態制御部１０９は、ＡＧＣ制御回路１５０からのＡＧＣ制御完了信号を受けて、信号検出部１０６（ＲＳＳＩ回路１３１、ＡＤＣ１３２および受信開始判定部１３３）の動作を制御する。すなわち、通電制御回路１５２は、ＡＧＣ制御完了信号を受けて、ＲＳＳＩ回路１３１の通電を停止し、その作動を停止させる。また、動作クロック制御回路１５１は、ＡＧＣ制御完了信号を受けて、ＡＤＣ１３２および受信開始判定部１３３への動作クロックの供給を停止し、これらの作動を停止させる。
【００９８】
さらに、作動状態制御部１０９は、ベースバンド復調回路１４２からのパケット終了信号を受けて、利得調整部１０５、信号検出部１０６、デジタル復調部１０７および利得制御部１０８の動作を制御する。すなわち、動作クロック制御回路１５１は、パケット終了信号を受けて、デジタル復調部１０７および利得制御部１０８への動作クロックの供給を停止し、これら各部の作動を停止させるとともに、ＡＤＣ１３２および受信開始判定部１３３の動作クロックの供給を開始し、これらの作動を開始させる。また、通電制御回路１５２は、パケット終了信号を受けて、利得調整部１０５への通電を停止し、その作動を停止させるとともに、ＲＳＳＩ回路１３１への通電を開始し、これを作動させる。
【００９９】
以下に、本無線ＬＡＮ端末１０１各部の作動状態の制御工程を図４のフローチャートを参照しつつ説明する。
【０１００】
まず、本実施の形態に係る無線ＬＡＮ端末１０１においては、データ（信号）の受信を行っていない受信待機時に、無線周波信号処理部１０４、信号検出部１０６および作動状態制御部１０９（動作クロック制御回路１５１および通電制御回路１５２）のみが動作し、利得調整部１０５（アナログ部）並びに利得制御部８およびデジタル復調部７（デジタル部２０）は動作していない（Ｓ１５）。
【０１０１】
すなわち、受信待機時には、通電制御回路１５２が利得調整部１０５への通電を停止しており、また、動作クロック制御回路１５１がデジタル復調部１０７および利得制御部１０８への動作クロックの供給を停止している。このように受信待機時に、アナログ部の利得調整部１０５をはじめデジタル復調部７および利得制御部８（デジタル部）を動作させないことで省電力化が可能となる。特に無線ＬＡＮ端末においては受信待機状態が長いため、この省電力化の効果は大である。
【０１０２】
なお、受信待機中にも無線周波信号処理部１０４および信号検出部１０６は動作しているため、無線ＬＡＮ端末１０１は自装置への送信データ（パケット）を常時認識できる状態にある。
【０１０３】
ここで、無線周波信号処理部１０４（アンテナ１１１）で受信した無線周波信号が、受信開始判定部１３３にて所定の閾値以上の受信レベルであると判断される（Ｓ１６）と、無線ＬＡＮ端末１０１は、受信待機状態から受信状態に移行し、受信を開始する（Ｓ１７）。このときの信号処理の流れ（Ｓ１５〜Ｓ１７）をより詳細に説明すると以下のとおりである。
【０１０４】
アンテナ１１１で受信された信号（無線周波信号）は、ローノイズアンプ１１２によって低ＮＦにて増幅され、無線周波用ミキサ１１４ａと無線周波用ミキサ１１４ｂとに分波出力される。ローノイズアンプ１１２から出力された一方の信号は、無線周波用ミキサ（ＲＦミキサ）１１４ａにて、無線周波用発振器（ＲＦＯＳＣ）１１３からの発振信号と混合される。これによって、ローノイズアンプ１１２からの信号がベースバンド信号（同相成分）にダウンコンバートされる。無線周波用ミキサ１１４ａから出力された信号はローパスフィルタ１１５ａに入力される。ローパスフィルタ１１５ａでは無線周波用ミキサ１１４ａからの信号に含まれる不要信号が除去される。ローノイズアンプ１１２から出力された他方の信号は、無線周波用ミキサ（ＲＦミキサ）１１４ｂにて、無線周波用発振器（ＲＦＯＳＣ）１１３からの発振信号をπ／２シフトさせた信号と混合される。これによって、ローノイズアンプ１１２からの信号がベースバンド信号（直交成分）にダウンコンバートされる。無線周波用ミキサ１１４ｂから出力された信号はローパスフィルタ１１５ｂに入力される。ローパスフィルタ１１５ｂでは無線周波用ミキサ１１４ｂからの信号に含まれる不要信号が除去される。
【０１０５】
ローパスフィルタ１１５から出力された信号は受信強度検知部（ＲＳＳＩ）１３１に入力される。ＲＳＳＩ回路１３１は入力された信号のＲＳＳＩ値（受信レベル）を検知する。ＡＤＣ１３２は、ＲＳＳＩ回路１３１で検知されたＲＳＳＩ値をデジタル化し、受信開始判定部１３３に出力する。ここで、ＲＳＳＩ値の増加量（先行ＲＳＳＩ値との差）が増加量閾値を超えた場合に、受信開始判定部１３３は信号を検出したと判断し、（Ｓ１６でｙｅｓ）、受信開始信号を作動状態制御部１０９に出力する。これにより受信が開始される（Ｓ１７）。
【０１０６】
受信開始判定部１３３からの受信開始信号を受けて、作動状態制御部１０９の通電制御回路１５２は利得調整部１０５へ通電を開始し、動作クロック制御回路１５１はデジタル復調部１０７および利得制御部１０８への動作クロックの供給を開始する。
【０１０７】
これにより、それまでＯＦＦ（非動作）状態だった利得調整部１０５、デジタル復調部１０７および利得制御部１０８がＯＮ（作動）状態となる（Ｓ１８参照）。なお、それまで通電（ＯＮ）状態だった、無線周波信号処理部１０４および信号検出部１０６は引き続き通電（ＯＮ）状態のままである（Ｓ１８参照）。
【０１０８】
利得制御部１０８が作動すると、受信開始判定部１３３は、ＲＳＳＩ値（受信レベル）をＡＧＣ制御回路１５０に出力する。ＡＧＣ制御回路１５０はこの受信レベルに基づいて、ＤＡＣ１６０を介してＡＧＣ回路１２２を制御する。ＡＧＣ回路１２２の制御が完了すると（Ｓ１９でｙｅｓ）、ＡＧＣ制御回路１５０は、ＡＧＣ制御完了信号を作動状態制御部１０９に送信する。
【０１０９】
これにより、受信時省電力モードに移行する（Ｓ２０でｙｅｓ）。すなわち、ＡＧＣ制御完了信号を受けて、動作クロック制御回路１５１はＡＤＣ１３２および受信開始判定部１３３の動作クロックの供給を停止する。また、通電制御回路１５２は、ＲＳＳＩ回路１３１の通電を停止する。これにより、信号検出部１０６の動作は停止し、無線周波信号処理部１０４、利得調整部１０５、デジタル復調部１０７および利得制御部１０８は動作を継続する（Ｓ２１）。このように、信号受信中に（受信開始から受信終了までの間）、信号検出部１０６の動作を停止させておく（特に、ＲＳＳＩ回路１３１の通電を止めておく）ことで、一層の省電力化が可能となる。
【０１１０】
なお、この受信時省電力モードをデフォルトとすることが好ましいが、当該モードを選択しないことも可能である。この場合には、信号検出部１０６、無線周波信号処理部１０４、利得調整部１０５、デジタル復調部１０７および利得制御部１０８すべてがＯＮ（作動）状態となり、引き続き動作を継続する（Ｓ２２）。
【０１１１】
Ｓ２１あるいはＳ２２についで、パケットデータの復調が行われる（Ｓ２３）。このＳ２３における信号処理手順を説明すれば以下のとおりである。
【０１１２】
Ｓ１９でＡＧＣ制御回路１５０によるＡＧＣ回路１２２の制御が完了すると、一方のローパスフィルタ１１５ａから出力された信号はＡＧＣ回路１２２で適切に利得（ゲイン）調整され、増幅回路１２６ａに入力され、増幅される。増幅回路１２６ａから出力された信号はデジタル復調部１０７のＡＤＣ１４１ａに入力される。また、他方のローパスフィルタ１１５ｂから出力された信号はＡＧＣ回路１２２で適切に利得（ゲイン）調整され、増幅回路１２６ｂに入力され、増幅される。増幅回路１２６ｂから出力された信号はデジタル復調部１０７のＡＤＣ１４１ｂに入力される。
【０１１３】
デジタル復調部１０７のベースバンド復調回路（ＢＢ復調回路）１４２では、Ａ／Ｄ変換器１４１ａおよびＡ／Ｄ変換器１４１ｂからの信号に基づいて、無線ＬＡＮ端末１０１に送信された信号（パケットデータ）が復調される。この復調されたデータ（復調データ）は上位層へ送信される。
【０１１４】
信号の復調が完了すると（Ｓ２４）、ベースバンド復調回路１４２は、パケット復調終了信号を作動状態制御部１０９に送信する。これにより無線ＬＡＮ端末１０１は再び受信待機状態に移行する（Ｓ２５）。
【０１１５】
すなわち、ベースバンド復調回路１４２からのパケット復調終了信号を受けて、作動状態制御部１０９の通電制御回路１５２は、利得調整部１０５の通電を停止するとともに、信号検出部１０６のＲＳＳＩ回路１３１への通電を開始する。また、動作クロック制御回路１５１はデジタル復調部１０７および利得制御部１０８への動作クロックの供給を停止するとともに、信号検出部１０６のＡＤＣ１３２および受信開始判定部１３３の通電を開始する。
【０１１６】
なお、上記実施の形態１・２では、デジタル部の各部は、動作クロック制御回路による動作クロックの供給停止あるいは開始によってその作動が制御されているがこれに限定されない。例えば、通電制御回路がデジタル部の各部（ＡＤＣ・受信開始判定部・デジタル復調部・利得制御部）の通電を制御する構成であっても構わない。また、上記した作動状態制御部の機能は、ハードウェアによって実現することも可能であるし、また、プログラムをコンピュータに実行させる（例えば、ＣＰＵなどの演算手段がＲＯＭやＲＡＭなどの記録媒体に格納されたプログラムコードを実行する）ことによって実現することも可能である。
【０１１７】
また、実施の形態１・２では、ダブルへテロダイン方式と、ダイレクトコンバージョン方式とを説明しているが、本発明の受信装置が適用される構成はこれらの方式に限定されない。無線周波信号（ＲＦ）処理部（第１のアナログ処理部、例えば、上記第１信号処理部）とデジタル処理部（例えば、上記復調部）との間に、復調精度を高めるための何らかのアナログ処理部（第２のアナログ処理部、例えば、上記第２信号処理部や中間周波信号処理部）が存在する受信機であれば本発明の構成を適用する（通電制御部が上記第２のアナログ処理部への通電を制御する）ことが可能である。
【０１１８】
なお、本発明の受信装置は、受信した無線周波信号をより低周波の信号に変換する第１信号処理部と、上記無線周波信号の信号強度を検知する受信強度検知部と、上記第１信号処理部からの信号に復調精度を高める処理を施す第２信号処理部と、該第２信号処理部からの信号を復調する復調部と、上記受信強度検知部の検知結果に基づいて、第２信号処理部の各回路の作動開始および作動停止を制御する作動状態制御部とを備える構成であると表現することも可能である。
【０１１９】
また、本発明の受信装置は、受信した無線周波信号をより低周波の信号に変換する無線周波信号処理部と、上記無線周波信号の信号強度を検知する受信強度検知部と、上記無線周波信号処理部からの信号をさらに低周波の信号に変換する中間周波信号処理部と、該中間周波信号処理部からの信号を復調する復調部と、上記受信強度検知部の検知結果に基づいて、中間周波信号処理部の各回路の作動開始および作動停止を制御する作動状態制御部とを備える構成であると表現することも可能である。
【０１２０】
なお、本発明の受信装置は、受信した無線周波信号をより低周波の信号に変換する第１信号処理部と、上記第１信号処理部からの信号の信号強度を検知する信号検出部と、上記第１信号処理部からの信号に利得調整回路による利得調整を行った後により低周波の信号に変換する、あるいは、第１信号処理部からの信号に利得調整回路による利得調整および増幅回路による増幅を行う、第２信号処理部と、上記利得調整回路での利得調整が完了すれば上記信号検出部の動作を停止させる作動状態制御部と、を備える構成であってもよい。
【０１２１】
また、本発明の受信装置は、上記第２信号処理部からの信号を復調するデジタル復調部を備え、上記作動状態制御部は、上記第２信号処理部からの信号の復調が完了すると上記信号検出部の動作を開始させる構成であってもよい。
【０１２２】
なお、本発明の受信装置は、受信した無線周波信号をより低周波の信号に変換する第１信号処理部と、上記第１信号処理部からの信号を、中間周波ミキサ回路および該記中間周波ミキサ回路に発振信号を供給する中間周波発振器を用いてさらに低周波の信号に変換する第２信号処理部と、上記第１信号処理部のデータの受信間隔に基づいて上記中間周波発振器の作動状態を制御する受信状況監視部とを備える構成であってもよい。
【０１２３】
また、本発明の受信装置の制御方法は、受信した無線周波信号をより低周波の信号に変換する第１信号処理部と、上記第１信号処理部からの信号の信号強度を検知する信号検出部と、上記第１信号処理部からの信号に利得調整回路による利得調整を行った後にさらに低周波の信号に変換する、あるいは、第１信号処理部からの信号に利得調整回路による利得調整および増幅回路による増幅を行う、第２信号処理部と、上記信号検出部で得られた信号強度に基づき上記利得調整回路を制御する利得制御部と、上記第２信号処理部からの信号を復調するデジタル復調部と、を備えた受信装置の制御方法であって、上記利得調整回路での利得調整が完了していない状態では上記信号検出部を作動させておき、上記利得調整が完了すれば上記信号検出部の作動を停止し、上記デジタル復調部が復調を完了していない状態では、上記信号検出部の作動を停止しておき、上記デジタル復調部が復調を完了すれば上記信号検出部の作動を開始する構成であってもよい。
【０１２４】
本発明は上述した実施の形態に限定されるものではなく、請求項に示した範囲で種々の変更が可能であり、実施の形態に開示された技術的手段を適宜組み合わせて得られる実施形態についても本発明の技術的範囲に含まれる。
【産業上の利用可能性】
【０１２５】
本発明に係る受信装置は、例えば、ＰＤＡ等のモバイル端末に搭載する無線ＬＡＮ端末に適用可能である。
【図面の簡単な説明】
【０１２６】
【図１】本発明の実施の形態１にかかる無線ＬＡＮ端末（受信部）の構成を示すブロック図である。
【図２】図１に示す無線ＬＡＮ端末の作動状態を制御を説明するフローチャートである。
【図３】本発明の実施の形態２にかかる無線ＬＡＮ端末（受信部）の構成を示すブロック図である。
【図４】図３に示す無線ＬＡＮ端末の作動状態の制御を説明するフローチャートである。
【図５】本発明の実施の形態２にかかる信号検出部の構成を示すブロック図である。
【図６】従来の（省電力）無線ＬＡＮ装置の構成を示すブロック図である。
【符号の説明】
【０１２７】
１  無線ＬＡＮ端末
２  （無線ＬＡＮ端末１の）受信部
４  無線周波信号処理部
５  中間周波信号処理部
７・１０７  デジタル復調部（復調部）
８  利得制御部
９・１０９  作動状態制御部
１０  アナログ部
２０  デジタル部
２１  中間周波用発振器（発振器）
２２・１２２  ＡＧＣ回路（利得調整回路）
２３  中間周波用ミキサ回路（ミキサ回路）
２５ａ・２５ｂ  ＬＰＦ回路（ローパスフィルタ回路）
２６ａ・２６ｂ・１２６ａ・１２６ｂ  増幅回路
３１・１３１  ＲＳＳＩ回路（受信強度検知部）
５１・１５１  動作クロック制御回路（デジタル作動制御部）
６６  受信状況監視部
５２・１５２  通電制御回路（通電制御部）
１０４  無線周波信号処理部（第１信号処理部）
１０５  利得調整部（第２信号処理部）
【図１】
2007049730.tif 000003
【図２】
2007049730.tif 000004
【図３】
2007049730.tif 000005
【図４】
2007049730.tif 000006
【図５】
2007049730.tif 000007
【図６】
2007049730.tif 000008